(57)【要約】【課題】  後方への移動が規制されてベース板上に載置される駐車車輛本体の前方ないし両側を囲む規制枠を、簡素化された操作機構により傾倒、起立可能に保持することで、上記駐車車輛本体、装備品、内装品などの盗難を防止するだけでなく他車から受ける損傷を防止し、安価に施工することができる駐車車輛の盗難防止装置を提供する。【解決手段】  駐車時における車輛本体Ｂの三方を囲むように少なくとも略車輪中心部位の高さに規制枠Ｆを立設保持するように構成され、上記規制枠Ｆは、車輪Ｗの後方への移動を規制した状態で駐車車輛Ｍが載置されるベース板２上にあって、人為的な操作によって車輛本体Ｂの前方に対応する前枠Ｆ１ないし、車輛本体Ｂの両側に対応する左右側枠Ｆ２，Ｆ３がベース板２上に傾倒、起立可能に支持され、起立状態を保持するロック手段Ｒを備えている。【選択図】  図１
2007321341.tif 000002
【特許請求の範囲】
【請求項１】
駐車時における車輛本体Ｂの三方を囲むように少なくとも略車輪中心部位の高さに規制枠Ｆを立設保持し、上記車輛本体Ｂを不法に操作する行為や、隣接駐車車輛Ｍ’から受ける損傷を防止するようにした駐車車輛の盗難防止装置１に於いて、
上記規制枠Ｆは、車輪Ｗの後方への移動を規制した状態で上記駐車車輛Ｍが載置されるベース板２上にあって、人為的な操作によって上記車輛本体Ｂの前方に対応する前枠Ｆ１ないし車輛本体Ｂの両側に対応する左右側枠Ｆ２，Ｆ３が上記ベース板２上に傾倒、起立可能に支持され、起立状態を保持するロック手段Ｒを備えていることを特徴とする駐車車輛の盗難防止装置。
【請求項２】
上記規制枠Ｆは、上記前枠Ｆ１ないし左右側枠Ｆ２，Ｆ３が平面視コ字状に一体接合され、複数のリンクＬを介して上記ベース板２上面の駐車車輛Ｍ前方に傾倒した位置から人為的な引上げ操作で後方の起立位置まで揺動可能に枢着されて成り、
上記ロック手段Ｒは、起立状態に於いて、少なくとも上記左右何れかの側枠Ｆ２，Ｆ３後端に設けた枠体係止部７と上記ベース板２の後方に立設した支柱５の係止部６とが互いに施解錠可能に構成されていることを特徴とする請求項１に記載の駐車車輛の盗難防止装置。
【請求項３】
上記規制枠Ｆは、少なくとも上記左右側枠Ｆ２，Ｆ３後端側の何れか一方に揺動操作レバー２０を備え、上記揺動操作レバー２０は、その下端に一方の側枠に軸支されたリンクＬの一端が揺動面上で直交するように接続されて、上記リンクＬの直交する一端は、上記左右側枠Ｆ２，Ｆ３を連結すべく上記ベース板２上面に回動可能に軸支された連結軸１０の一端に固定されると共に、上記連結軸１０の他端には他方の側枠に軸支されたリンクＬの一端が同一角度で固定されて成り、
上記揺動操作レバー２０と上記両リンクＬの長さの比率により該揺動操作レバー２０が、上記前枠Ｆ１ないし左右側枠Ｆ２，Ｆ３の起立、傾倒を軽い操作力で同時に行うようにしたことを特徴とする請求項１または２に記載の駐車車輛の盗難防止装置。
【請求項４】
上記規制枠Ｆは、上記前枠Ｆ１ないし左右側枠Ｆ２，Ｆ３の下端が上記ベース板２上に立設した支持体３０の支軸３４を介して個別に起立または傾倒操作する足踏みペダルＰをそれぞれ備え、
該各足踏みペダルＰは、上記各前枠Ｆ１ないし左右側枠Ｆ２，Ｆ３の長手方向略中間部位にあって、上記ベース板２上に立設した支持体３０の支持軸３２に先端側が揺動可能に支持されてその外側端部を上方に傾倒付勢するダンパー装置３８を備え、上記各足踏みペダルＰの踏み込み時には、上記前枠Ｆ１ないし左右側枠Ｆ２，Ｆ３が上記支持軸３４を支点として起立し、上記足踏みペダルＰの無負荷時には、上記ダンパー装置３８の付勢力により上記前枠Ｆ１ないし左右側枠Ｆ２，Ｆ３を上記車輛本体Ｂに対し外側に向けて傾倒し、踏み込み時における足踏みペダルＰは、上記ベース板２上に設けた係止部４０と上記足踏みペダルＰに設けたペダル係止部４２とが互いに施錠可能に構成されて、施錠により上記各前枠Ｆ１ないし左右側枠Ｆ２，Ｆ３の起立状態が保持されるようになっていることを特徴とする請求項１に記載の駐車車輛の盗難防止装置。
【発明の詳細な説明】
【技術分野】
【０００１】
本発明は、駐車時における車輛本体の三方を囲むように少なくとも略車輪中心部位の高さに規制枠を立設保持し、上記車輛本体を不法に操作する行為や、隣接駐車車輛から受ける損傷を防止するようにした駐車車輛の盗難防止装置に関する。
【背景技術】
【０００２】
従来より、駐車車輛の盗難防止装置として、車輪の前後方向の動きを拘束する規制手段を設けたものや、対象となる第３者を電気的に検出してアラームを発したり、駐車車輛の所有者に無線で警告する方式が知れている。
【０００３】
上記のように車輪の前後方向の動きを拘束する規制手段では、自力走行または牽引による車輛の移動を防止することができるものの、ドアを解錠して開放したり窓ガラスを破壊して車内へ侵入し、車内の貴重品や内装部品、または車輪（ホィール）の盗難が可能となる。
【０００４】
また、大掛かりな盗難としてはフォークリフトや重機を使用することで、車輛本体を持ち去ることが可能となり、電気的な検出法では、アラームによる警告が近所迷惑となり、所有者の住宅から離れた駐車場では盗難防止装置の効果が得られない問題を有していた。
【０００５】
そこで、上記の問題を解消した盗難防止装置として、載置台上に駐車する車輛の左右車輪の外側を囲む側枠体と、進入方向前方を囲む前枠体と、進入方向後方にリンク機構により回動軸を中心として起立、倒伏可能な車輪ロック部材とから構成されており、上記車輪ロック部材は、リンク機構を介して連結された操作軸を着脱可能な操作レバーにより回動して鎖錠状態と解錠状態が得られるように左右の車輪に対しそれぞれ独立して設けたものである。
【０００６】
そして、駐車車輛の各ドアの前面に対峙するドアロック部材を設け、操作軸に上記操作レバーを嵌合して回動操作によりリンク機構を介してアーム状の上記ドアロック部材を起立状態として上記各ドアに対峙し、各ドアの開放を不能とした駐車車輛の盗難防止装置が提案されている（特許文献１参照）。
【０００７】
【特許文献１】特開２００４−２５０９４８号公報
【発明の開示】
【発明が解決しようとする課題】
【０００８】
ところで、上記の盗難防止装置は、車輪の前後方向の動きを拘束したり各ドアの開放を不能として車内への侵入を防止することはできるが、車輪（ホィール）の盗難や、フォークリフトや重機を使用した車輛本体の盗難防止は未だ解消されておらず、操作機構が複雑な構成となるだけでなく施工費用が嵩むためコストの低廉化が要求されていた。
【０００９】
本発明は、このような要望に着目してなされたもので、後方への移動が規制されてベース板上に載置される駐車車輛本体の前方ないし両側を囲む規制枠を、簡素化された操作機構により傾倒、起立可能に保持することで、上記駐車車輛本体、装備品、内装品などの盗難を防止するだけでなく他車から受ける損傷を防止し、安価に施工することができる駐車車輛の盗難防止装置を提供することを目的とする。
【課題を解決するための手段】
【００１０】
上記目的を解決するために、本発明の請求項１に記載の駐車車輛の盗難防止装置は、駐車時における車輛本体Ｂの三方を囲むように少なくとも略車輪中心部位の高さに規制枠Ｆを立設保持し、上記車輛本体Ｂを不法に操作する行為や、隣接駐車車輛Ｍ’から受ける損傷を防止するようにした駐車車輛の盗難防止装置１に於いて、上記規制枠Ｆは、車輪Ｗの後方への移動を規制した状態で上記駐車車輛Ｍが載置されるベース板２上にあって、人為的な操作によって上記車輛本体Ｂの前方に対応する前枠Ｆ１ないし車輛本体Ｂの両側に対応する左右側枠Ｆ２，Ｆ３が上記ベース板２上に傾倒、起立可能に支持され、起立状態を保持するロック手段Ｒを備えていることを特徴とする駐車車輛の盗難防止装置である。
上記の駐車車輛の盗難防止装置によれば、上記規制枠Ｆを人為的操作で略車輪Ｗ中心部位の高さまで起立させることで、後方への移動を規制した状態でベース板２上に載置される駐車車輛本体Ｂの前方及び両側が前枠Ｆ１ないし左右側枠Ｆ２，Ｆ３によって囲まれ、その起立状態はロック手段Ｒによって保持される。
【００１１】
本発明の請求項２に記載の駐車車輛の盗難防止装置は、上記規制枠Ｆが、上記前枠Ｆ１ないし左右側枠Ｆ２，Ｆ３が平面視コ字状に一体接合され、複数のリンクＬを介して上記ベース板２上面の駐車車輛Ｍ前方に傾倒した位置から人為的な引上げ操作で後方の起立位置まで揺動可能に枢着されて成り、上記ロック手段Ｒは、起立状態に於いて、少なくとも上記左右何れかの側枠Ｆ２，Ｆ３後端に設けた枠体係止部７と上記ベース板２の後方に立設した支柱５の係止部６とが互いに施解錠可能に構成されていることを特徴とする駐車車輛の盗難防止装置である。
上記の駐車車輛の盗難防止装置によれば、平面視コ字場に一体接合された上記前枠Ｆ１ないし左右側枠Ｆ２，Ｆ３が、人為的な引上げ操作でベース板２上面の駐車車輛Ｍ前方に傾倒した位置から複数のリンクＬを介して後方の起立位置まで揺動し、ベース板２の後方に立設した支柱５の係止部６と左右何れかの側枠後端Ｆ２，Ｆ３に設けた枠体係止部７とが互いに施解錠可能なロック手段Ｒにより起立状態の前枠Ｆ１ないし左右側枠Ｆ２，Ｆ３がロックされる。
【００１２】
本発明の請求項３に記載の駐車車輛の盗難防止装置は、上記規制枠Ｆが、少なくとも上記左右側枠Ｆ２，Ｆ３後端側の何れか一方に揺動操作レバー２０を備え、上記揺動操作レバー２０は、その下端に一方の側枠に軸支されたリンクＬの一端が揺動面上で直交するように接続されて、上記リンクＬの直交する一端は、上記左右側枠Ｆ２，Ｆ３を連結すべく上記ベース板２上面に回動可能に軸支された連結軸１０の一端に固定されると共に、上記連結軸１０の他端には他方の側枠に軸支されたリンクＬの一端が同一角度で固定されて成り、上記揺動操作レバー２０と上記両リンクＬの長さの比率により該揺動操作レバー２０が、上記前枠Ｆ１ないし左右側枠Ｆ２，Ｆ３の起立、傾倒を軽い操作力で同時に行うようにしたことを特徴とする駐車車輛の盗難防止装置である。
上記の駐車車輛の盗難防止装置によれば、左右側枠Ｆ２，Ｆ３後端側の何れか一方に備えた揺動操作レバー２０の下端に一方の側枠に軸支されたリンクＬの一端が揺動面上で直交するように接続されて、上記リンクＬと他方の側枠に軸支されたリンクＬの一端が上記ベース板２上面に回動可能に軸支された連結軸１０の両端に同一角度で固定されているので、上記揺動操作レバー２０と上記両リンクＬの長さの比率により、該揺動操作レバー２０の軽い操作力で上記前枠Ｆ１ないし左右側枠Ｆ２，Ｆ３の起立、傾倒が同時に行われる。
【００１３】
本発明の請求項４に記載の駐車車輛の盗難防止装置は、上記規制枠Ｆが、上記前枠Ｆ１ないし左右側枠Ｆ２，Ｆ３の下端が上記ベース板２上に立設した支持体３０の支軸３４を介して個別に起立または傾倒操作する足踏みペダルＰをそれぞれ備え、該各足踏みペダルＰは、上記各前枠Ｆ１ないし左右側枠Ｆ２，Ｆ３の長手方向略中間部位にあって、上記ベース板２上に立設した支持体３０の支持軸３２に先端側が揺動可能に支持されてその外側端部を上方に傾倒付勢するダンパー装置３８を備え、上記各足踏みペダルＰの踏み込み時には、上記前枠Ｆ１ないし左右側枠Ｆ２，Ｆ３が上記支持軸３４を支点として起立し、上記足踏みペダルＰの無負荷時には、上記ダンパー装置３８の付勢力により上記前枠Ｆ１ないし左右側枠Ｆ２，Ｆ３を上記車輛本体Ｂに対し外側に向けて傾倒し、踏み込み時における足踏みペダルＰは、上記ベース板２上に設けた係止部４０と上記足踏みペダルＰに設けたペダル係止部４２とが互いに施錠可能に構成されて、施錠により上記各前枠Ｆ１ないし左右側枠Ｆ２，Ｆ３の起立状態が保持されるようになっていることを特徴とする駐車車輛の盗難防止装置である。
上記の駐車車輛の盗難防止装置によれば、上記前枠Ｆ１ないし左右側枠Ｆ２，Ｆ３は、個別に設けた足踏みペダルＰを踏み込むことにより支軸３４を介して起立することができ、上記足踏みペダルＰの無負荷時には、ダンパー装置３８の付勢力により上記前枠Ｆ１ないし左右側枠Ｆ２，Ｆ３を上記車輛本体Ｂに対し外側に向けて傾倒し、踏み込み時における足踏みペダルＰは、ベース板２上に設けた係止部４０と上記足踏みペダルＰに設けたペダル係止部４２とが互いに施錠されて上記規制枠Ｆの起立状態が保持される。
【発明の効果】
【００１４】
本発明は以下の効果を奏する。
【００１５】
請求項１に記載の発明によれば、駐車車輛が車輪の後方への移動を規制した状態で載置されるベース板上に前枠ないし左右側枠が、少なくとも略車輪中心部位の高さに起立可能に支持されて起立状態がロック手段により保持されるようになっているので、駐車車輛本体、装備品、内装品などの盗難を防止するだけでなく他車から受ける損傷を防止することができる。
【００１６】
請求項２に記載の発明によれば、上記前枠ないし左右側枠が、平面視コ字場に一体接合された簡素な構成とすることで安価に施工することができ、人為的な引上げ操作でベース板上面の駐車車輛前方に傾倒した位置から複数のリンクを介して後方の起立位置まで揺動した状態で施解錠可能なロック手段によりベース板と一体的にロックされるので、フォークリフトや重機による車輛本体の盗難が防止できる。
【００１７】
請求項３に記載の発明によれば、揺動操作レバーの下端に一方の側枠に軸支されたリンクの一端が揺動面上で直交するように接続され、上記一方のリンクと他方の側枠に軸支されたリンクの一端が連結軸の両端に同一角度で固定されているので、左右側枠を前枠とともに同時に起立、傾倒を行うことができ、上記揺動操作レバーと上記両リンクの長さの比率により該揺動操作レバーを軽い力で操作することができる。
【００１８】
請求項４に記載の発明によれば、個別に設けた足踏みペダルを踏み込むことにより前枠ないし左右側枠を、支軸を介して起立することで傾倒、起立を行う操作機構を簡素化することができ、足踏みペダルの無負荷時には、ダンパー装置の付勢力により上記前枠ないし左右側枠を車輛本体に対し外側に向けて傾倒し、上記各足踏みペダルの踏み込み時には上記前枠ないし左右側枠が起立し、ベース板上に設けた係止部と上記足踏みペダルに設けたペダル係止部とが互いに施錠されて上記規制枠の起立状態を保持することができる。
【発明を実施するための最良の形態】
【００１９】
本発明の実施例を以下に説明する。
【実施例１】
【００２０】
図１ないし図４には、本発明の実施例１が示されている。図１は実施例１に係る駐車車輛の盗難防止装置の側面図、図２は駐車車輛の盗難防止装置の平面図、図３は駐車車輛の盗難防止装置の正面図、図４は図１のＡ−Ａ拡大断面図である。
【００２１】
図１〜図４において、１は実施例１に係る駐車車輛の盗難防止装置であって、この盗難防止装置１は、駐車時における後述する車輛本体Ｂの三方を囲むように少なくとも略車輪Ｗの中心部位の高さに規制枠Ｆを立設保持するようにしたもので、上記規制枠Ｆは、車輪Ｗの後方への移動を山形のストッパＳで規制した状態で駐車車輛Ｍが載置される鋼鈑製のベース板２上にあって、人為的な操作によって上記車輛本体Ｂの前方に対応する横長の前枠Ｆ１ないし車輛本体の両側に対応する左右側枠Ｆ２，Ｆ３が上記ベース板２上に傾倒、起立可能に支持され、起立状態を保持するロック手段Ｒ（後述する）を備えている。
【００２２】
詳しくは、上記規制枠Ｆは、断面逆Ｌ字状に形成された横長の前枠Ｆ１と左右側枠Ｆ２，Ｆ３が平面視コ字状に溶接などで一体的に接合され、これら前枠Ｆ１と左右側枠Ｆ２，Ｆ３の外周面は弾力性を有する素材で被覆されており、後述するリンク機構ＭＬを介してベース板２上面の駐車車輛Ｍ前方に傾倒した位置から、上記左右側枠Ｆ２，Ｆ３後端上面の取っ手Ｈを把持し人為的な引上げ操作で後方の起立位置まで揺動可能に枢着されている。
【００２３】
上記リンク機構ＭＬは、図１及び図３、図４に示すようにベース板２上面の前後に３個づつ列設したブラケット８と左右側枠Ｆ２，Ｆ３の前後下面に３個づつ列設したブラケット１２に夫々３本ずつ一定長さのリンクＬの両端が揺動可能に軸支されており、左右側枠Ｆ２，Ｆ３および前枠Ｆ１は人為的な引上げ操作で上記ベース板２上面に傾倒した下方位置から上記ベース板２上面と平行状態で起立位置まで上方に揺動するようになっている。
【００２４】
左右側枠Ｆ２，Ｆ３の後端には、下端が上記ベース板２上面に枢着されたダンパー４のロッド先端が止着されており、上記左右側枠Ｆ２，Ｆ３が自重で傾倒する際に受ける衝撃を吸収するようになっている。
【００２５】
また、前枠Ｆ１および左右側枠Ｆ２，Ｆ３の外側には侵入防止壁１６が平行に配設されており、上記各枠が傾倒した時に操作者のつま先などがベース板２上面との間に不用意に挟み込まれないようになっている。
【００２６】
さらに、左右側枠Ｆ２，Ｆ３後端のベース板２上面には、２本の支柱５が左右に立設しており左右側枠Ｆ２，Ｆ３が起立した際にその後端が当接するようになっており、当接時に上記左右側枠Ｆ２，Ｆ３の後端に設けた枠体係止部となるブラケット７に穿設された挿通孔と支柱５に設けた係止部としてのブラケット６の挿通孔が一致し、両挿通孔にはロック手段として例えば南京錠のロッドを挿通して施錠することで上記規制枠Ｆは起立状態が保持される。
【００２７】
このように、平面視コ字場に一体接合された前枠Ｆ１ないし左右側枠Ｆ２，Ｆ３が、取っ手Ｈを把持して人為的な引上げ操作により、ベース板２上面の駐車車輛前方に傾倒した位置から複数のリンクＬを介して後方の起立位置まで平行に揺動し、ベース板２の後方に立設した支柱５のブラケット６の挿通孔と左右側枠または左右何れかの側枠後端に設けたブラケット７の挿通孔とが互いにロック手段となる例えば南京錠の施錠により起立状態の前枠Ｆ１ないし左右側枠Ｆ２，Ｆ３がロックされる。
【００２８】
このように、上記前枠Ｆ１ないし左右側枠Ｆ２，Ｆ３が、平面視コ字場に一体接合された簡素な構成とすることで安価に施工することができ、人為的な引上げ操作でベース板２上面の駐車車輛Ｍ前方に傾倒した位置から複数のリンクＬからなるリンク機構ＭＬを介して後方の起立位置まで揺動した状態で施解錠可能な例えば南京錠などのロック手段によりベース板２と一体的にロックされるので、フォークリフトや重機による車輛本体の盗難が防止できることは勿論、図２に示すように隣接する車輛Ｍ’のドアＤを開放した際等に受ける損傷を防止することができる。
【実施例２】
【００２９】
次に、実施例２に付き、図５及び図６に基づき図４を参照しながら説明する。図５、図６には本発明の実施例２が示されている。図５（ａ）は実施例２に係る揺動操作レバーによって規制枠が起立状態とされた駐車車輛の盗難防止装置の側面図、図５（ｂ）は実施例２に係る揺動操作レバーによって規制枠が傾倒状態とされた駐車車輛の盗難防止装置の側面図、図６（ａ）は揺動操作レバーによって規制枠が起立操作される説明図、図６（ｂ）は揺動操作レバーによって規制枠が傾倒操作される説明図である。なお、同一構成部分は同一符号を付しその説明を省略する。
【００３０】
図６（ａ）、（ｂ）において、符号２０は揺動操作レバーであって、この揺動操作レバー２０は、図４に示すように縦長板状体の中間部位が鍵形に屈曲形成されたもので、その下端には左右側枠Ｆ２の後方に配置されるリンク機構ＭＬの最後端リンクＬの一端が揺動面上で直交するように接続されており、上記リンクＬの他端は一方の側枠Ｆ２下面に設けたブラケット１２の支軸１４に軸支されている。
【００３１】
揺動操作レバー２０の上端は手動操作部とされており、上記揺動操作レバー２０の一部を構成するレバー基部２０ａ（後述する）下端に上記最後端リンクＬの一端が直交して接続される部位は、左右側枠Ｆ２，Ｆ３を連結すべくベース板２上面に回動可能に軸支された連結軸１０の一端に固定されると共に、上記連結軸１０の他端にも他方の側枠Ｆ３下面に設けたブラケット１２の支軸１４に軸支された他方の最後端リンクＬの一端が同一角度で固定されている。
【００３２】
上記揺動操作レバー２０は、この揺動操作レバー２０より短い両リンクＬの長さの比率により上記前枠Ｆ１ないし左右側枠Ｆ２，Ｆ３の起立、傾倒を軽い操作力で同時に行うように構成されており、揺動操作レバー２０の揺動により左右の最後端リンクＬは、上記連結軸１０により同期して揺動し、リンク機構ＭＬを構成する他のリンクＬも上記左右側枠Ｆ２，Ｆ３の移動に連れて揺動し上記前枠Ｆ１ないし左右側枠Ｆ２，Ｆ３を平行移動するようになっている。
【００３３】
詳しくは、上記揺動操作レバー２０は、屈曲形成される中間部位からレバー基部２０ａと操作部２０ｂの２つに分割されており、これらレバー基部２０ａと手動操作部となる操作部２０ｂは枢軸２２を介して折り畳み、伸長可能に構成され伸長状態では係止ピン２４が図示しないレバー基部２０ａ先端の係止孔にばねの付勢力で弾力的に係止するように構成されている。
【００３４】
そこで、図５（ａ）、図６（ａ）に示すように上記揺動操作レバー２０を、手動操作部により上記連結軸１０を中心として後方に傾倒した場合は、上記左右両リンクＬが連結軸１０を中心として矢印方向（反時計廻り）に揺動して左右側枠Ｆ２，Ｆ３ないし前枠Ｆ１を上端に移動する。
【００３５】
この状態で左右側枠Ｆ２，Ｆ３は、後端面が支柱５の側面に当接して起立状態とされてブラケット７の挿通孔と支柱５のブラケット６の挿通孔が一致し、両挿通孔にロック手段Ｒとなる南京錠のロッドを挿通して施錠することで上記規制枠Ｆは起立状態が保持される。
【００３６】
また、図５（ｂ）、図６（ｂ）に示すように上記揺動操作レバー２０を、手動操作部により上記連結軸１０を中心として前方に起立した場合は、上記ロック手段Ｒを解錠して上記左右両リンクＬが連結軸１０を中心として矢印方向（時計廻り）に揺動することで左右側枠Ｆ２，Ｆ３ないし前枠Ｆ１が下方に移動する。
【００３７】
このように、揺動操作レバー２０の下端には、一方の側枠Ｆ２に軸支されたリンクＬの一端が揺動面上で直交するように接続され、上記一方のリンクＬと他方の側枠Ｆ３に軸支された他方のリンクＬの一端が連結軸１０の両端に同一角度で固定されているので、左右側枠Ｆ２，Ｆ３を前枠Ｆ１とともに同時に起立、傾倒を行うことができ、上記揺動操作レバー２０と上記両リンクＬの長さの比率により当該揺動操作レバー２０を軽い力で操作することができる。
【実施例３】
【００３８】
次に、実施例３を図７〜図１０に基づいて説明する。図７は実施例３に係り、足踏みペダルによって規制枠を傾倒、起立する駐車車輛の盗難防止装置の正面図、図８は実施例３に係り、足踏みペダルによって規制枠を傾倒、起立する駐車車輛の盗難防止装置の側面図、図９は規制枠の傾倒、起立操作を行う足踏みペダルの側面図、図１０は規制枠の傾倒、起立操作を行う足踏みペダルの平面図である。なお、同一構成部分は同一符号を付しその説明を省略する。
【００３９】
図７、図８において、規制枠Ｆ’を構成する前枠Ｆ’１ないし左右側枠Ｆ’２，Ｆ’３の下端は、ベース板２上に立設した支持体３０の支軸３４，３５に揺動可能に支持されており、前枠Ｆ’１ないし左右側枠Ｆ’２，Ｆ’３には、個別に揺動させて起立または傾倒操作する足踏みペダルＰをそれぞれ備えている。
【００４０】
上記各足踏みペダルＰは、図９、図１０に示されるように上記前枠Ｆ’１ないし左右側枠Ｆ’２，Ｆ’３の長手方向略中間部位が切離されてこの間隙に配設されており、上記ベース板２上に立設した支持体３０の支持軸３２に上記足踏みペダルＰの先端側が揺動可能に支持されて外側端部が後述するダンパー装置３８に軸支されて、その外側端部を上方に傾倒するように付勢している。
【００４１】
詳しくは、上記ダンパー装置３８は、上記ベース板２上に設けた支持片３７にシリンダーの後端が軸支されるとともに上記シリンダーに内装されたスプリングにより外方に向けて付勢するロッドの先端が上記足踏みペダルＰ先端の下面に設けた支持部３６に軸支されている。
【００４２】
ここでは、左右側枠Ｆ’２，Ｆ’３は、同一構成であるため一方の左側枠Ｆ’２のみについて述べるが、上記足踏みペダルＰは、無負荷状態では図９に２点鎖線で示されるように上記ダンパー装置３８の付勢力により先端側が上方に傾倒しており、一方の左側枠Ｆ’２は略水平位置まで傾倒できるようになっている。
【００４３】
上記足踏みペダルＰは、踏み込み時において当該足踏みペダルＰ下面に設けた支持部３６が上記ベース板２上面に当接して水平状態に保持され、この状態において上記足踏みペダルＰの先端側側縁に立設したペダル係止部となるブラケット４２は、当該ブラケット４２に穿設された挿通孔と上記ベース板２上に立設した係止部となる縦長ブラケット４０の挿通孔が一致し、両挿通孔にロック手段Ｒとなる南京錠のロッドを挿通して施錠することで踏み込み状態が保持されるようになっている。
【００４４】
上記足踏みペダルＰの先端両側には、一対の半円形のセグメントギャＧ１が止着されており、これらセグメントギャＧ１には左側枠Ｆ’２下端の支軸３４に止着された一対のピニオンギャＧ２が噛合しており、上記ロック手段Ｒを解錠した状態において、足踏みペダルＰの踏み込み時には両ギャＧ１，Ｇ２の相互作用で左側枠Ｆ’２を上方に起立し、足踏みペダルＰの無負荷時には左側枠Ｆ’２の人為的な傾倒操作と上記ダンパー装置３８の付勢力が相俟って上記左側枠Ｆ’２が略水平状態になるまで傾倒できるようになっている。
【００４５】
このように、個別に設けた足踏みペダルＰを踏み込むことにより前枠Ｆ’１ないし左右側枠Ｆ’２，Ｆ’３を、支軸３４，３５を介して起立することで傾倒、起立を行う操作機構を簡素化することができ、足踏みペダルＰの無負荷時には、ダンパー装置３８の付勢力により前枠Ｆ’１ないし左右側枠Ｆ’２，Ｆ’３を車輛本体Ｂに対し外側に向けて傾倒し、上記各足踏みペダルＰの踏み込み時には、上記前枠Ｆ’１左右側枠Ｆ’２，Ｆ’３が起立し、ベース板２上に設けた縦長ブラケット４０と上記足踏みペダルＰに設けたブラケット４２とが互いに例えば南京錠を用いたロック手段Ｒに施錠されて上記規制枠Ｆ’の起立状態を保持することができる。
【図面の簡単な説明】
【００４６】
【図１】本発明の実施例１に係る駐車車輛の盗難防止装置の側面図である。
【図２】同じく駐車車輛の盗難防止装置の平面図である。
【図３】同じく駐車車輛の盗難防止装置の正面図である。
【図４】図１のＡ−Ａ拡大断面図である。
【図５】（ａ）は実施例２に係り、揺動操作レバーによって規制枠が起立状態とされた駐車車輛の盗難防止装置の側面図、（ｂ）は同じく、揺動操作レバーによって規制枠が傾倒状態とされた駐車車輛の盗難防止装置の側面図である。
【図６】（ａ）は実施例２に係る揺動操作レバーによって規制枠が起立操作される説明図、（ｂ）は実施例２に係る揺動操作レバーによって規制枠が傾倒操作される説明図である。
【図７】実施例３に係り、足踏みペダルによって規制枠を傾倒、起立する駐車車輛の盗難防止装置の正面図である。
【図８】実施例３に係り、足踏みペダルによって規制枠を傾倒、起立する駐車車輛の盗難防止装置の側面図である。
【図９】規制枠の傾倒、起立操作を行う足踏みペダルの側面図である。
【図１０】規制枠の傾倒、起立操作を行う足踏みペダルの平面図である。
【符号の説明】
【００４７】
１                  駐車車輛の盗難防止装置
２                  ベース板
４                  ダンパー
５                  支柱
６                  ブラケット（係止部）
７                  ブラケット（枠体係止部）
８，１２            ブラケット
１０                連結軸
１４                支軸
１６                侵入防止壁
２０                揺動操作レバー
２０ａ              レバー基部
２０ｂ              操作部
２２                枢軸
２４                係止ピン
３０                支持体
３２                支持軸
３４，３５          支軸
３６                支持部
３７                支持片
３８                ダンパー装置
４０                縦長ブラケット（係止部）
４２                ブラケット（ペダル係止部）
Ｂ                  車輛本体
Ｆ，Ｆ’            規制枠
Ｆ１，Ｆ’１        前枠
Ｆ２，Ｆ３          左右側枠
Ｆ’２，Ｆ’３      左右側枠
Ｇ１                セグメントギャ
Ｇ２                ピニオンギャ
Ｈ                  取っ手
Ｌ                  最後端リンク
Ｍ                  駐車車輛
Ｍ’                隣接駐車車輛
ＭＬ                リンク機構
Ｐ                  ペダル
Ｒ                  ロック手段
Ｓ                  ストッパ
Ｗ                  車輪
【図１】
2007321341.tif 000003
【図２】
2007321341.tif 000004
【図３】
2007321341.tif 000005
【図４】
2007321341.tif 000006
【図５】
2007321341.tif 000007
【図６】
2007321341.tif 000008
【図７】
2007321341.tif 000009
【図８】
2007321341.tif 000010
【図９】
2007321341.tif 000011
【図１０】
2007321341.tif 000012